(57)【特許請求の範囲】
【請求項１】
長尺の外観部材（６）に複数個の短尺の受け部材（９）を当該外観部材の長手方向に摺動し得る形で着脱自在に装着した乾式目地材（１）であって、
前記外観部材は、基体（７ａ）の左右両側に突設された弾性変形可能なリップ（７ｂ、７ｃ）と、前記基体の脚部の左右両側に形設された嵌合片（７ｄ、７ｅ）とからなり、
前記各受け部材はそれぞれ、断面Ｕ字状の本体部（９ａ）と、この本体部の左右両側に突設された弾性変形可能なリップ（９ｂ、９ｃ）と、前記本体部の上部に形設された嵌合突起（９ｄ、９ｅ）とからなることを特徴とする乾式目地材。
【請求項２】
柱（１０）に２枚の外壁パネル（１３、１４）を当接させて目地溝（５）を形成し、この目地溝に複数個の止め金具（４）を所定のピッチで配設して前記外壁パネルの係合溝（１３ａ、１４ａ）に係合させ、前記各止め金具を前記柱に固定した状態で、請求項１記載の乾式目地材（１）を前記目地溝内に取り付ける際に、
前記乾式目地材の各受け部材（９）を外観部材（６）の長手方向に摺動させて前記止め金具との干渉を回避しつつ当該乾式目地材を前記目地溝内に挿設することを特徴とする乾式目地材の取付方法。
【請求項３】
柱（１０）に２枚の外壁パネル（１３、１４）を当接させて目地溝（５）を形成し、この目地溝に複数個の止め金具（４）を所定のピッチで配設して前記外壁パネルの係合溝（１３ａ、１４ａ）に係合させ、前記各止め金具を前記柱に固定した状態で、請求項１記載の乾式目地材（１）を前記目地溝内に取り付ける際に、
前記乾式目地材の各受け部材（９）を前記止め金具との干渉を避けて前記目地溝内に挿設した後、その上から前記乾式目地材の外観部材（６）を被せて前記各受け部材に嵌着するようにして当該乾式目地材を前記目地溝内に挿設することを特徴とする乾式目地材の取付方法。
【発明の詳細な説明】
【０００１】
【産業上の利用分野】
本発明は、止め金具を用いて下地材に留め付けた２枚の外壁パネルの間に形成される目地溝を防水処理する際に適用するに好適な乾式目地材およびその取付方法に関するものである。
【０００２】
【従来の技術】
図６は従来の乾式目地材の一例を示す斜視図、
図７は図６に示す乾式目地材の施工状態を示す断面図であり、（ａ）は止め金具がある部位における断面図、（ｂ）は止め金具がない部位における断面図である。
【０００３】
この種の目地溝を防水処理する際には、シリコーン樹脂系やウレタン樹脂系などの湿式目地材を目地溝内に充填する方法が古くから採用されているが、これでは湿式目地材が目地溝から食み出さないように注意して充填する必要があるばかりか、湿式目地材が硬化するまで雨に濡れない状態で養生しなければならないので、必然的に工期が長くなってしまう等の問題があることから、この方法の代わりに、図６及び図７に示すように、柔軟性のあるゴムや合成樹脂などからなる断面エの字状の目地本体２の内部に断面Ｔ字状のステンレス等の金属からなる芯金３を埋設して剛性を付与した乾式目地材１を予め工場で製造し、この乾式目地材１を施工現場で目地溝５内に挿設する方法が多用される傾向にある。
【０００４】
【発明が解決しようとする課題】
ところが、この乾式目地材１を用いる方法では次に述べるような問題点があった。
【０００５】
すなわち、乾式目地材１を目地溝５内に挿設して施工する際に、止め金具４がない部位では、図７（ｂ）に示すように、乾式目地材１が目地溝５内にうまく納まるように挿入できるが、止め金具４がある部位では、それが障害物となって乾式目地材１が盛り上がることを回避するため、乾式目地材１を目地溝５内に挿入する前に、図７（ａ）に示すように、乾式目地材１の下部（止め金具４に対応する部分）を切り欠く必要がある。従って、施工現場で止め金具４の位置に合わせて乾式目地材１の目地本体２と共に芯金３をも切断する作業が必要となり、そのため目地溝５の防水処理が非効率的にならざるを得なかった。
【０００６】
本発明は、上記事情に鑑み、目地溝に止め金具があっても効率よく取り付けることが可能な乾式目地材およびその取付方法を提供することを目的とする。
【０００７】
【課題を解決するための手段】
即ち、本発明のうち乾式目地材の発明は、長尺の外観部材（６）に複数個の短尺の受け部材（９）を当該外観部材の長手方向に摺動し得る形で着脱自在に装着した乾式目地材（１）であって、前記外観部材は、基体（７ａ）の左右両側に突設された弾性変形可能なリップ（７ｂ、７ｃ）と、前記基体の脚部の左右両側に形設された嵌合片（７ｄ、７ｅ）とからなり、前記各受け部材はそれぞれ、断面Ｕ字状の本体部（９ａ）と、この本体部の左右両側に突設された弾性変形可能なリップ（９ｂ、９ｃ）と、前記本体部の上部に形設された嵌合突起（９ｄ、９ｅ）とからなることを要旨とする。
【０００８】
一方、本発明のうち乾式目地材の取付方法の発明は、柱（１０）に２枚の外壁パネル（１３、１４）を当接させて目地溝（５）を形成し、この目地溝に複数個の止め金具（４）を所定のピッチで配設して前記外壁パネルの係合溝（１３ａ、１４ａ）に係合させ、前記各止め金具を前記柱に固定した状態で、上記乾式目地材（１）を前記目地溝内に取り付ける際に、前記乾式目地材の各受け部材（９）を外観部材（６）の長手方向に摺動させて前記止め金具との干渉を回避しつつ当該乾式目地材を前記目地溝内に挿設することを要旨とする。
【０００９】
また、本発明のうち乾式目地材の取付方法の発明は、柱（１０）に２枚の外壁パネル（１３、１４）を当接させて目地溝（５）を形成し、この目地溝に複数個の止め金具（４）を所定のピッチで配設して前記外壁パネルの係合溝（１３ａ、１４ａ）に係合させ、前記各止め金具を前記柱に固定した状態で、上記乾式目地材（１）を前記目地溝内に取り付ける際に、前記乾式目地材の各受け部材（９）を前記止め金具との干渉を避けて前記目地溝内に挿設した後、その上から前記乾式目地材の外観部材（６）を被せて前記各受け部材に嵌着するようにして当該乾式目地材を前記目地溝内に挿設することを要旨とする。
【００１０】
なお、括弧内の番号等は図面における対応する要素を表わす便宜的なものであり、従って本発明は図面上の記載に限定拘束されるものではない。このことは「特許請求の範囲」及び「作用」の欄についても同様である。
【００１１】
【作用】
上記した構成により、本発明のうち乾式目地材の発明では、施工現場で止め金具（４）の位置に合わせて乾式目地材（１）を切断する作業が不要となるように作用する。
【００１２】
一方、本発明のうち乾式目地材の取付方法の発明では、受け部材（９）が外観部材（６）の長手方向に摺動し得るため、各受け部材と止め金具（４）との干渉が容易に回避され、また、受け部材が外観部材に対して着脱自在であるため、外観部材を目地溝（５）内に挿入する前に各受け部材の挿設動作が終了し、外観部材の挿設の作業性が向上するように作用する。
【００１３】
【実施例】
以下、本発明の実施例を図面に基づいて説明する。
図１は本発明による乾式目地材の一実施例を示す斜視図、
図２は図１に示す乾式目地材を構成する外観部材の拡大図であり、（ａ）は斜視図、（ｂ）は（ａ）のＡ−Ａ線における断面図、
図３は図１に示す乾式目地材を構成する受け部材の拡大図であり、（ａ）は斜視図、（ｂ）は（ａ）のＢ−Ｂ線における断面図、
図４は図１に示す乾式目地材の施工状態を示す断面図であり、（ａ）は止め金具がある部位における断面図、（ｂ）は止め金具がない部位における断面図、
図５は外壁パネルの目地部の納まりを示す斜視図である。
【００１４】
本発明による乾式目地材１は、図１に示すように、長尺の外観部材６を有しており、外観部材６は、図２に示すように、柔軟性のあるゴムや合成樹脂などからなる断面Ｔ字状の外観本体７と、この外観本体７に剛性を付与するための断面Ｔ字状のステンレス等の金属からなる芯金３とから構成されている。外観本体７は断面Ｔ字状の基体７ａを有しており、基体７ａの左右両側には弾性変形可能なリップ７ｂ、７ｃが互いに線対称となる形で突設されている。また、基体７ａの脚部の左右両側にはそれぞれ嵌合片７ｄ、７ｅが外方に向けて形設されており、基体７ａの内部には芯金３が埋設されている。
【００１５】
また外観部材６には、図１に示すように、硬質塩ビ等の硬質合成樹脂からなる複数個の短尺の受け部材９が着脱自在に装着されており、各受け部材９は、図３に示すように、断面Ｕ字状の本体部９ａを有している。本体部９ａの左右両側には弾性変形可能なリップ９ｂ、９ｃが互いに線対称となる形で突設されており、本体部９ａの上部には嵌合突起９ｄ、９ｅが内方に向けて形設されている。これら嵌合突起９ｄ、９ｅはそれぞれ前記外観本体７の嵌合片７ｄ、７ｅに嵌合し得るので、受け部材９は外観部材６に嵌着することができると共に、その嵌着状態を維持したまま外観部材６の長手方向に摺動させることができる。
【００１６】
本発明による乾式目地材１は以上のような構成を有するので、この乾式目地材１を用いて目地溝５の防水処理を行なう際には次の手順による。
【００１７】
即ち、図５に示すように、柱１０にバック材１２を介して２枚の外壁パネル１３、１４を当接させて目地溝５を形成し、この目地溝５に複数個の止め金具４を所定のピッチで配設して外壁パネル１３、１４の係合溝１３ａ、１４ａに係合させ、各止め金具４をタッピンねじ１１で柱１０に固定した状態で、乾式目地材１を目地溝５内に挿設する。この際、受け部材９が止め金具４の間に納まるように受け部材９を動かして挿入していく。その結果、止め金具４がある部位では、図４（ａ）に示すように、受け部材９が存在せず、外観部材６のみでシールされ、一方、止め金具４のない部位では、図４（ｂ）に示すように、外観部材１と受け部材２とが嵌着した状態でシールされることから、止め金具４が障害物となって乾式目地材１が盛り上がることはない。また、乾式目地材１を目地溝５内に挿入すると、図４に示すように、外観部材６の外観本体７のリップ７ｂ、７ｃ及び受け部材９のリップ９ｂ、９ｃが弾性変形して外壁パネル１３、１４の端面に圧接する形で乾式目地材１が目地溝５内に保持されるので、乾式目地材１が目地溝５から脱落することはなく、乾式目地材１の挿設作業は円滑に行なわれる。
【００１８】
なお上述の実施例においては、外観部材６に複数個の受け部材９が装着された状態の乾式目地材１を目地溝５内に挿設する場合について説明したが、乾式目地材１の受け部材９のみを止め金具４と干渉しないように目地溝５内に挿設した後、その上から外観部材６を被せて受け部材９に嵌着するようにして乾式目地材１を挿設することも可能である。受け部材９のみを目地溝５内に挿設した場合、受け部材９のリップ９ｂ、９ｃが弾性変形して外壁パネル１３、１４の端面に圧接する形で受け部材９が目地溝５内に保持されるので、受け部材９が目地溝５から脱落することはなく、その後の外観部材６の挿設作業を円滑に行なうことができる。
【００１９】
また上述の実施例においては、外観本体７の内部に断面Ｔ字状の金属製の芯金３を埋設した外観部材６を有する乾式目地材１について説明したが、芯金３の材質や形状はこれに限定されるものではなく、また、外観本体７のみの剛性で十分である場合にはこの芯金３を省略してもよい。
【００２０】
【発明の効果】
以上説明したように、本発明のうち乾式目地材の発明によれば、長尺の外観部材６に複数個の短尺の受け部材９を当該外観部材６の長手方向に摺動し得る形で着脱自在に装着した乾式目地材１であって、前記外観部材６は、基体７ａの左右両側に突設された弾性変形可能なリップ７ｂ、７ｃと、前記基体７ａの脚部の左右両側に形設された嵌合片７ｄ、７ｅとからなり、前記各受け部材９はそれぞれ、断面Ｕ字状の本体部９ａと、この本体部９ａの左右両側に突設された弾性変形可能なリップ９ｂ、９ｃと、前記本体部９ａの上部に形設された嵌合突起９ｄ、９ｅとからなるようにして構成したので、施工現場で止め金具４の位置に合わせて乾式目地材１を切断する作業が不要となることから、目地溝５に止め金具４があっても効率よく取り付けることが可能な乾式目地材１を提供することが可能となる。
【００２１】
また、外観部材６と受け部材９とからなる構成にしたので、受け部材９のみに難燃材や防火発泡シールテープ等を付加することによって低価格で乾式目地材１に防火機能を付加することができる。更に、目地溝５の深さが変わっても外観部材６か受け部材９のいずれか一方を交換すればよいので、外観部材６と受け部材９とが一体となった乾式目地材に比べて安価となる。また、乾式目地材１に色褪せ等の耐候性に問題が生じた場合、外観部材６のみを取り替えればよいので、取替作業が容易で価格的にも有利である。
【００２２】
一方、本発明のうち乾式目地材の取付方法の発明によれば、柱１０に２枚の外壁パネル１３、１４を当接させて目地溝５を形成し、この目地溝５に複数個の止め金具４を所定のピッチで配設して前記外壁パネル１３、１４の係合溝１３ａ、１４ａに係合させ、前記各止め金具４を前記柱１０に固定した状態で、上記乾式目地材１を前記目地溝５内に取り付ける際に、前記乾式目地材１の各受け部材９を外観部材６の長手方向に摺動させて前記止め金具４との干渉を回避しつつ当該乾式目地材１を前記目地溝５内に挿設するようにして構成したので、受け部材９が外観部材６の長手方向に摺動し得るため、各受け部材９と止め金具４との干渉が容易に回避されることから、目地溝５に止め金具４があっても効率よく取り付けることが可能な乾式目地材の取付方法を提供することが可能となる。
【００２３】
また、本発明のうち乾式目地材の取付方法の発明によれば、柱１０に２枚の外壁パネル１３、１４を当接させて目地溝５を形成し、この目地溝５に複数個の止め金具４を所定のピッチで配設して前記外壁パネル１３、１４の係合溝１３ａ、１４ａに係合させ、前記各止め金具４を前記柱１０に固定した状態で、上記乾式目地材１を前記目地溝５内に取り付ける際に、前記乾式目地材１の各受け部材９を前記止め金具４との干渉を避けて前記目地溝５内に挿設した後、その上から前記乾式目地材１の外観部材６を被せて前記各受け部材９に嵌着するようにして当該乾式目地材１を前記目地溝５内に挿設するようにして構成したので、受け部材９が外観部材６に対して着脱自在であるため、外観部材６を目地溝５内に挿入する前に各受け部材９の挿設動作が終了し、外観部材６の挿設の作業性が向上することから、目地溝５に止め金具４があっても効率よく取り付けることが可能な乾式目地材の取付方法を提供することが可能となる。
【図面の簡単な説明】
【図１】本発明による乾式目地材の一実施例を示す斜視図である。
【図２】図１に示す乾式目地材を構成する外観部材の拡大図であり、（ａ）は斜視図、（ｂ）は（ａ）のＡ−Ａ線における断面図である。
【図３】図１に示す乾式目地材を構成する受け部材の拡大図であり、（ａ）は斜視図、（ｂ）は（ａ）のＢ−Ｂ線における断面図である。
【図４】図１に示す乾式目地材の施工状態を示す断面図であり、（ａ）は止め金具がある部位における断面図、（ｂ）は止め金具がない部位における断面図である。
【図５】外壁パネルの目地部の納まりを示す斜視図である。
【図６】従来の乾式目地材の一例を示す斜視図である。
【図７】図６に示す乾式目地材の施工状態を示す断面図であり、（ａ）は止め金具がある部位における断面図、（ｂ）は止め金具がない部位における断面図である。
【符号の説明】
１……乾式目地材
４……止め金具
５……目地溝
６……外観部材
７ａ……基体
７ｂ、７ｃ……リップ
７ｄ、７ｅ……嵌合片
９……受け部材
９ａ……本体部
９ｂ、９ｃ……リップ
９ｄ、９ｅ……嵌合突起
１０……柱
１３、１４……外壁パネル
１３ａ、１４ａ……係合溝
【図１】
0003596091.tif 000002
【図２】
0003596091.tif 000003
【図３】
0003596091.tif 000004
【図４】
0003596091.tif 000005
【図５】
0003596091.tif 000006
【図６】
0003596091.tif 000007
【図７】
0003596091.tif 000008